【事件の表示】
　特許第３３９７５８１号「射出光学装置」の請求項１、２に係る特許に対する特許異議の申立てについて、次のとおり決定する。
【結　論】
　訂正を認める。
　特許第３３９７５８１号の請求項１に係る特許を維持する。
【理　由】
１．手続の経緯
　特許第３３９７５８１号に係る発明についての出願は、平成８年６月７日に特許出願され、平成１５年２月１４日にその特許の設定登録がなされ、その後、請求項１〜２に係る発明について、江原隆彦より特許異議の申立てがなされ、取消理由が通知され、その指定期間内である平成１６年２月２３日に訂正請求がなされたものである。
　　　
２．訂正の適否についての判断
ア．訂正の内容
ａ．特許請求の範囲の請求項１を、
　「【請求項１】半導体レーザー光源と、該半導体レーザー光源から出射されたレーザー光を平行光にするコリメータレンズと、前記半導体レーザー光源を駆動する電気回路基板と、該電気回路基板を固定し前記半導体レーザー光源を保持する支持部材とを有し、前記電気回路基板上に前記半導体レーザー光源を駆動する電源及び電気信号を伝達するケーブルを接続するためのコネクタを設け、該コネクタと前記ケーブルの取付方向を前記電気回路基板に対して水平方向とし、該取付方向と平行でかつ前記コネクタの中心を通る仮想線から、前記電気回路基板上における前記半導体レーザー光源の取付中心位置までの距離をｒ（ｃｍ）、前記コネクタの取り付け／取り外しに加わる力をＦ（ｋｇ）とすると、Ｆ・ｒ≦３（ｋｇｆ・ｃｍ）となるように前記コネクタの位置を設定したことを特徴とする射出光学装置。」
と訂正する。
ｂ．特許請求の範囲の請求項２を削除する。
ｃ．特許請求の範囲の請求項３を、
　「【請求項２】前記半導体レーザー光源は複数の光ビームを出射するマルチビームレーザー光源とした請求項１に記載の射出光学装置。」
と訂正する。
ｄ．明細書の段落【００１０】を、
　「【課題を解決するための手段】上記目的を達成するための本発明に係る射出光学装置は、半導体レーザー光源と、該半導体レーザー光源から出射されたレーザー光を平行光にするコリメータレンズと、前記半導体レーザー光源を駆動する電気回路基板と、該電気回路基板に固定し前記半導体レーザー光源を保持する支持部材とを有し、前記電気回路基板上に前記半導体レーザー光源を駆動する電源及び電気信号を伝達するケーブルを接続するためのコネクタを設け、該コネクタと前記ケーブルの取付方向を前記電気回路基板に対して水平方向とし、該取付方向と平行でかつ前記コネクタの中心を通る仮想線から、前記電気回路基板上における前記半導体レーザー光源の取付中心位置までの距離をｒ（ｃｍ）、前記コネクタの取り付け／取り外しに加わる力をＦ（ｋｇ）とすると、Ｆ・ｒ≦３（ｋｇｆ・ｃｍ）となるように前記コネクタの位置を設定したことを特徴とする。」
と訂正する。
イ．訂正の目的の適否、新規事項の有無及び拡張・変更の存否
　上記訂正事項ａは、明細書の段落【００１２】及び図１の記載に基づいて請求項１に係る発明を特定するのに必要な事項である「支持部材」について限定し、また、明細書の段落【００１３】〜【００１４】の記載に基づいて、請求項１に係る発明を特定する事項である「所定の値」を明りょうにしたものであるから、特許請求の範囲の減縮及び明りょうでない記載の釈明に該当し、新規事項を追加するものではない。
　上記訂正事項ｂは、請求項２を削除するものであるから、特許請求の範囲の減宿に該当し、新規事項を追加するものではない。
　上記訂正事項ｃは、訂正事項ｂによる請求項２の削除に伴い、請求項を繰り上げたものであるから、明りょうでない記載の釈明に該当し、新規事項を追加するものではない。
　上記訂正事項ｄは、訂正事項ａとの整合を図るために、明細書の段落【００１２】及び図１の記載に基づいて、明細書の段落【００１０】を訂正るものであるから、明りょうでない記載の釈明に該当し、新規事項を追加するものではない。
　また、上記訂正事項ａ〜ｄは、いずれも実質上特許請求の範囲を拡張し、又は変更するものでもない。
ウ．むすび
　以上のとおり、上記訂正は、特許法第１２０条の４第２項の規定及び同条第３項において準用する特許法第１２６条第２項及び第３項の規定に適合するので、当該訂正を認める。
　　　
３．特許異議申立てについて
ア．本件発明
　平成１６年２月２３日付けで提出された訂正明細書の請求項１に係る発明（以下、「本件発明」という）は、その特許請求の範囲の請求項１に記載された事項により特定される次のとおりのものである。
　「半導体レーザー光源と、該半導体レーザー光源から出射されたレーザー光を平行光にするコリメータレンズと、前記半導体レーザー光源を駆動する電気回路基板と、該電気回路基板を固定し前記半導体レーザー光源を保持する支持部材とを有し、前記電気回路基板上に前記半導体レーザー光源を駆動する電源及び電気信号を伝達するケーブルを接続するためのコネクタを設け、該コネクタと前記ケーブルの取付方向を前記電気回路基板に対して水平方向とし、該取付方向と平行でかつ前記コネクタの中心を通る仮想線から、前記電気回路基板上における前記半導体レーザー光源の取付中心位置までの距離をｒ（ｃｍ）、前記コネクタの取り付け／取り外しに加わる力をＦ（ｋｇ）とすると、Ｆ・ｒ≦３（ｋｇｆ・ｃｍ）となるように前記コネクタの位置を設定したことを特徴とする射出光学装置。」
イ．申立ての理由の概要
　特許異議申立人江原隆彦は、甲第１〜３号証を提出して、訂正前の請求項１〜２に係る発明が、甲第１〜３号証刊行物に各々記載された発明であるから特許法第２９条第１項第３号の規定に該当し、特許を受けることができず、また甲第１〜３号証刊行物に各々記載された発明に基づいて当業者が容易に発明をすることができたものであるから、特許法第２９条第２項の規定により特許を受けることができず、それらの特許は取り消されるべきものである旨主張する。
ウ．取消理由の概要
　平成１５年１２月１０日付けの取消理由は、訂正前の請求項１及び２に係る発明が、特許異議申立書に記載された理由により甲第１〜３号証刊行物に各々記載された発明であるから特許法第２９条第１項第３号の規定に該当し、特許を受けることができず、甲第１〜３号証刊行物に各々記載された発明に基づいて当業者が容易に発明をすることができたものであるから、特許法第２９条第２項の規定により特許を受けることができず、さらに、訂正前の請求項１の記載における「所定の値」は不明確な記載事項であるから、特許法第３６条第６項に規定する要件要件を満たしていないというものである。
エ．刊行物に記載の事項
　特許異議申立人江原隆彦が提出した甲第１〜３号証刊行物には、次のような記載があるる。
刊行物１：特開平６−１４８５４１号公報（申立人提出の甲第１号証）
　「・・・・本発明の目的は、光源と該光源から放射された光ビームの受光素子とを簡単な構成で取り付けることができると共に、受光素子で光ビームを安定した状態で受光できる光ビーム走査光学系を提供することにある。さらに、本発明の他の目的は、偏向手段で偏向走査された光ビームと、該光ビームから分岐され前記受光素子へ導かれる光ビームとが干渉を生じることのない光ビーム走査光学系を提供することにある。」（段落【０００６】）
　「・・・・光源ユニット２０とＳＯＳセンサ３０の取付け構造について説明する。光源ユニット２０は、ケーシング２１にレーザ光源としてのレーザダイオード、光量モニタ用のフォトダイオード及びレーザビームを集光するコリメータレンズ（いずれも図示せず）を内蔵したもので、回路基板２５上にビス２９，２９によって固定されている。また、ＳＯＳセンサ３０は回路基板２５上に固定されている。基板２５にはレーザダイオードの駆動回路（図示せず）が搭載され、ＳＯＳセンサ３０の出力部はこの基板２５上で駆動回路と電気的に接続されている。・・・・回路基板２５は、図４、図５に示すように、ケーシング２１の筒状部２１ａをハウジング１０の外壁面に形成した台座１１の孔１１ａに嵌合し、基板２５の孔２６，２６から図示しないビスを台座１１のねじ孔１１ｂ，１１ｂに螺着することにより、ハウジング１０に固定される。このとき、ＳＯＳセンサ３０はハウジング１０の外壁面に形成した遮光用筒部１２の中心部に位置する。・・・・」（段落【００１３】〜【００１４】）
　また、図４には、光源ユニットとＳＯＳセンサを取り付けた回路基板が示されている。
刊行物２：特開平６−８２７１０号公報（申立人提出の甲第２号証）
　「図５は第２実施例の主要部を示す斜視図であって、本実施例の偏向走査装置Ｅ２は接続配線手段である３本のリードピン１１ａ〜１１ｃを有する半導体レーザ１１と、これを包囲する鏡筒１２と、鏡筒１２と一体的に設けられた支持手段であるＬ形の基台１３を有し、鏡筒１２の自由端側にはコリメータレンズ１４が装着されている。駆動回路ユニット１５は、射出成形によって基台１３と一体的に成形された合成樹脂製のパッケージ１６と、これに密封されたハイブリッドＩＣあるいはモノシリックＩＣ等の超小形のレーザ駆動回路からなる。パッケージ１６は、基台１３の穴１３ａに隣接する端面に凹所１６ｆを有し、前記レーザ駆動回路の接続配線手段である弾性リード部材１６ａ〜１６ｃは該凹所１６ｆから基台１３の穴１３ａに突出している。また、基台１３の反対側の端面には、電源接続信号取込用のコネクタ１７に接続される弾性リード部材１６ｇ〜１６ｋが突出している。
【００１６】半導体レーザ１１の組付は、その本体（図示せず）によってパッケージ１６の各弾性リード部材１６ａ〜１６ｃを曲げながら、半導体レーザ１１を基台１３の穴１３ａへ圧入することによって行われる。半導体レーザ１１が鏡筒１２内の所定位置へ到達すると、パッケージ１６の各弾性リード部材１６ａ〜１６ｃは半導体レーザ１１の本体から解放され、弾性力によってもとの形状に近い形に復帰する過程で半導体レーザ１１のリードピン１１ａ〜１１ｃに当接される。
【００１７】本実施例は、パッケージが基台と一体であるためにパッケージの組付工程を必要とせず、従って組立はより一層簡単である。その他の点については第１実施例と同様であるので説明は省略する。」（段落【００１５】〜【００１７】）
　また、図５には、第２実施例による半導体レーザの取付構造が示されている。
刊行物３：実願平４−３６７１１号（実開平５−８０４２８号）のＣＤ−ＲＯＭ（申立人提出の甲第３号証）
　「・・・・従来は、反射ミラーの取付に押え部材や保持部材等の別部材を必要としていたため、部品点数や組立工数が増して装置コストがかさんでしまうという不具合があった。
　また、反射ミラーを高い取付精度でハウジングに取り付ける場合には組立作業が繁雑化し、位置調整のための機構を介して反射ミラーをハウジングに設ける場合には、通常反射ミラーがハウジング内に収容されているので、位置調整の度にハウジングを開けて作業を行わなければならないという不具合があった。」（段落【０００３】）
　「【０００７】図１において１０は光走査装置であり、そのハウジング１１には、光偏向器としてのポリゴンミラー１３と、ｆθレンズ１４と、補正レンズ１６とが収容されている。
【０００８】ハウジング１１の側壁部分１１１０の外面には基板１８がねじ止めされており、この基板１８には、レーザ光をポリゴンミラー１３に向けて出力する光源１２と、該光源１２の発光を制御する制御用回路１２０１とが実装されている。
　また、ハウジング１１の側壁部分１１１０には光透過孔１１１１が形成されており、この光透過孔１１１１に臨む箇所の基板１８には、例えば図２に示すように、ガラスからなる反射ミラー１５が接着剤１５０１により取着されている。
【０００９】尚、図１において１７は書き出し位置検出用のフォトセンサ、１９は、ハウジング１１の側壁部分１１２０の外面にねじ止めされた基板であり、基板１９には、フォトセンサ１７と、このフォトセンサ１７が光を検出したときに検出信号を出力する信号出力回路（図示せず）とが実装されている。
　また、フォトセンサ１７が臨む箇所の側壁部分１１２０には光透過孔１１２１が形成されている。」（段落【０００７】〜【０００９】）
　「・・・・本考案によれば、光源や該光源の制御用回路が実装された基板と、前記光源から出力された光ビームを走査偏向する光偏向器とがハウジングに設けられた光走査装置において、前記光偏向器で走査偏向された光ビームを反射する反射ミラーを前記基板に設けたので、光源等と反射ミラーとをユニット化して構成を簡略化することができる。
　そして、ハウジングへの取付作業や取付位置の調整作業を光源等と同時に行えるので組立工数や調整作業の工数を少なくすることができ、反射ミラー専用の取付部材を不要として部品点数を少なくすることができる。
　また、本考案によれば、前記基板は前記ハウジングの外側に位置調整可能に取着され、前記ハウジングには光ビーム透過用の光透過孔が設けられている構成としたので、反射ミラーで反射された光ビームの光路を前記基板の位置調整で調整することができ、反射ミラーの取付精度を高くする必要をなくすことができる。　さらに、これにより、反射ミラーで反射された光ビームの光路を調整するための、反射ミラーの位置調整作業を、ハウジングの外側から行うことができ、調整作業の都度ハウジングを開ける必要をなくして作業の簡略化を図ることができる。」（段落【００２５】）
　また、図３、５及び６には、光源、反射ミラー等を取り付けた基板を含む光走査装置の構成が示されている。
エ．対比、判断
　本件発明と刊行物１〜３に各々記載のものとを対比すると、本件発明においては、「電気回路基板上に半導体レーザー光源を駆動する電源及び電気信号を伝達するケーブルを接続するコネクタを設け、該コネクタと前記ケーブルの取付方向を前記電気回路基板に対して水平方向とし、該取付方向と平行でかつ前記コネクタの中心を通る仮想線から、前記電気回路基板上における前記半導体レーザー光源の取付中心位置までの距離をｒ（ｃｍ）、前記コネクタの取り付け／取り外しに加わる力をＦ（ｋｇ）とすると、Ｆ・ｒ≦３（ｋｇｆ・ｃｍ）となるように前記コネクタの位置を設定」しているが、この点については、刊行物１〜３のいずれにも記載されておらず、また、示唆するところもない。
　すなわち、刊行物１の図４に光源ユニットとＳＯＳセンサを取り付けた回路基板が示されているが、この図の左側に設けられた要素がコネクタ部であることは明記されておらず、また、この要素を光源ユニットに対してどのような位置関係とするか、コネクタの抜き差しをどのようにするか等については全く記載されていないし、また、刊行物２の図５に示されるものにおいては、駆動回路ユニットの側方にコネクタが設けられていることが見てとれるが、回路基板とコネクタとがどのような関係になっているか、コネクタと半導体レーザとをどのような位置関係とするかについては記載されていない。
　さらに、刊行物３の図３、５及び６には、光源、反射ミラー等を取り付けた基板が示されているが、これらは反射ミラーの位置調整作業をし易くすることを目的とした構成になっており、コネクタと光源との位置関係について示唆するところはない。
　このように、刊行物１〜３に記載のものにおいては、コネクタの回路基板からの抜き差しにより半導体レーザー光源の取付部分に加わるモーメントについて何ら考慮していないのであり、本件発明における上記のようなコネクタの位置の設定について示唆するものではない。
　しかるに、本件発明は、上記のようにコネクタの位置を設定することを含む事項により特定されるものであり、それによって明細書に記載の格別な効果を奏するものであるから、刊行物１〜３に各々記載された発明ではなく、また、刊行物１〜３に各々記載された発明に基づいて当業者が容易に発明をすることができたものではない。
　また、取消理由通知において指摘した明細書の記載における不備は、訂正により解消している。
オ．むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１６年３月１２日（２００４．３．１２）
【訂正の要旨】
審決（決定）の【理由】欄参照。
（５４）【発明の名称】
射出光学装置
（５７）【特許請求の範囲】
　【請求項１】　半導体レーザー光源と、該半導体レーザー光源から出射されたレーザー光を平行光にするコリメータレンズと、前記半導体レーザー光源を駆動する電気回路基板と、
該電気回路基板を固定し
をｒ（ｃｍ）、前記コネクタの取り付け／取り外しに加わる力をＦ（ｋｇ）とすると、Ｆ・ｒ≦３（ｋｇｆ・ｃｍ）
　【請求項
２
【発明の詳細な説明】
　【０００１】
　【発明の属する技術分野】
　本発明は、レーザービームコリメータユニットや、半導体レーザー光源を用いた光ディスクのピックアップユニットなどに供する射出光学装置に関するものである。
　【０００２】
　【従来の技術】
　従来から、画像信号により変調されたレーザービームを記録媒体上に走査して、画像を記録するレーザービームプリンタなどの記録装置が一般に知られている。
　【０００３】
　図５は従来の射出光学装置の斜視図を示し、半導体レーザー光源１の前方の光路上には、コリメータレンズ２、ポリゴンミラーなどの偏向器３が配列され、偏向器３の反射方向の光路上には、結像レンズ光学系４、記録媒体である感光ドラム５が配列されている。
　【０００４】
　画像信号により変調された半導体レーザー光源１からのレーザービームは、コリメータレンズ２により平行光とされ、偏向器３により偏向されて、結像レンズ光学系４によって記録媒体５上に結像走査される。このようにして、レーザービームプリンタなどのレーザーユニットに使用する場合には、半導体レーザー光源１からの出射光は発光点から放射状に拡がる性質を有するために、コリメータレンズ２を用いて平行光束とするのが一般的である。
　【０００５】
　図６はレーザーユニットの断面図を示し、図７は図６のＺ方向から見た背面図である。基台１０の背面には電気回路基板１１が取り付けられ、基台１０の前面にはホルダ１２がばね付きねじ１３ａ、１３ｂにより固定されている。横断面が略凸状に形成されたホルダ１２は基台１０の調整治具の基準部分に固定されており、ホルダ１２の中空内部にはコリメータレンズ２を設けた鏡筒１４が嵌合され、ホルダ１２の中空内部の略中心付近の基台１０上には半導体レーザー光源１が固定されている。また、電気回路基板１１には各種の電子部品と共にコネクタ１５が固定され、コネクタ１５には信号ケーブル１６が接続されている。
　【０００６】
　このような射出光学装置において、固定されたホルダ１２に対して基台１０をＸ−Ｙ方向に微小量移動させ、コリメータレンズ２の光軸と半導体レーザー光源１の光軸とが一致するように基台１０の光軸調整を行う。
　【０００７】
　先ず、調整前にばね付きねじ１３ａ、１３ｂを緩めた半固定状態で、基台１０とホルダ１２を固定し、この状態で所定の範囲内に調整を行った後に、ばね付きねじ１３ａ、１３ｂを増し締めし強固に固定する。次に、鏡筒１４を光軸方向のＺ方向に微小量移動して所定の範囲内に調整が完了した後に、鏡筒１４とホルダ１２を接着固定して光学調整を完了する。光学調整が完成した射出光学装置に電気回路基板１１が取り付けた後に、光学部材を収納する図示しない光学箱に取り付け、更に光学箱は図示しない記録装置本体に取り付けられ、電気回路基板１１上のコネクタ１５に信号ケーブル１６が接続される。
　【０００８】
　【発明が解決しようとする課題】
　しかしながら上述の従来例においては、コネクタ１５の接続方向が電気回路基板１１に垂直な場合には、接続の際に電気回路基板１１を曲げる方向に力が加わるために、電気回路基板１１自体及び電気回路基板１１上の電子素子が破損したり剥離したりすることがある。また、コネクタ１５の接続方向が電気回路基板１１に水平な場合には、コネクタ１５の位置によって射出光学装置に回転方向の力が加わるために、射出光学装置が回転することがあり、特に複数のビームの間隔を高精度に調整しているマルチビームレーザー光源を用いた場合には、これが致命的な欠陥となる。
　【０００９】
　本発明の目的は、上述の問題点を解消し、電気回路基板に圧力を加えることなくコネクタとケーブルの接続を行い装置の回転を防止する射出光学装置を提供することにある。
　【００１０】
　【課題を解決するための手段】
　上記目的を達成するための本発明に係る射出光学装置は、半導体レーザー光源と、該半導体レーザー光源から出射されたレーザー光を平行光にするコリメータレンズと、前記半導体レーザー光源を駆動する電気回路基板と、
該電気回路基板に固定し
をｒ（ｃｍ）、前記コネクタの取り付け／取り外しに加わる力をＦ（ｋｇ）とすると、Ｆ・ｒ≦３（ｋｇｆ・ｃｍ）
　【００１１】
　【発明の実施の形態】
　本発明を図１〜図４に図示の実施例に基づいて詳細に説明する。
　図１は第１の実施例の射出光学装置の斜視図を示し、記録装置本体２０上には光学箱２１が取り付けられ、光学箱２１にはホルダ２２が固定されている。光学箱２１の内部において、ホルダ２２にはコリメータレンズ２３を内設する鏡筒２４と半導体レーザー光源２５が支持されており、鏡筒２４は光軸調整及びピント調整のためにＸＹＺ方向にそれぞれ移動可能とされている。
　【００１２】
　また、光学箱２１の外側にはホルダ２２に半導体レーザー光源２５を駆動する電気回路基板２６が固定されており、射出光学装置が光学箱２１にねじ２７によって取り付けられ、電気回路基板２６はコントローラ２８とコネクタ２９、ハーネス３０を介して接続されている。
　【００１３】
　図２は電気回路基板２６の正面図を示し、電気回路基板２６上のコネクタ２９に対しハーネス３０は、矢印Ａ方向の電気回路基板２６と水平方向に接続されている。ここで、コネクタ２９の中心Ｃを通り矢印Ａと平行な仮想線Ｌを設け、仮想線Ｌと電気回路基板２６における半導体レーザー光源２５の取付中心Ｏとの距離をｒ（ｃｍ）とし、コネクタ２９に加わるハーネス３０を着脱する力をＦ（ｋｇｆ）とすると、Ｆ・ｒ≦３（ｋｇｆ・ｃｍ）の関係となるようにコネクタ２９の位置を決定する。
　【００１４】
　この関係式は実験的に得られたものであり、実験ではＦ＝２ｋｇｆ、ｒ＝３ｃｍのときホルダ２２の回転が生じたことが分かっているので、これからホルダ２２に加わるモーメントは６ｋｇｆ・ｃｍ以下となり、上記の式は安全率を２倍に見込んで３ｋｇｆ／ｃｍ以下としている。また、コネクタ２９の着脱に必要な力は最大で６ｋｇｆ程度であることが実験で得られているので、上記の式からｒ＝０．５ｃｍとなる。
　【００１５】
　このような位置にコネクタ２９を配置して矢印Ａ方向にハーネス３０の接続を行えば、コネクタ２９にハーネス３０を着脱する際の電気回路基板２６に加わる力は矢印Ａと同じ方向になるので、電気回路基板２６を曲げるような力を加えることがなくなり、更に射出光学装置を回転させるモーメント力を小さく抑えることができ、射出光学装置が位置ずれを生ずるという問題を回避することができる。
　【００１６】
　図３は第２の実施例の射出光学装置の斜視図、図４は半導体レーザー光源の正面図を示し、図１と同じ番号は同じ部材を表している。ホルダ２２には、複数の光源を有するマルチビーム半導体レーザー光源３１とコリメータレンズ２３及び電気回路基板２６が支持されており、電気回路基板２６にはコネクタ２９が固定されている。
　【００１７】
　ビーム間距離の調整は、２個以上の複数の光源を有するマルチビーム半導体レーザー光源３１の全てについて同様に行うことができるので、ここでは２個の光源を有する半導体レーザー光源３１について説明する。先ず、半導体レーザー光源３１の２個の発光点３１ａ、３１ｂのＹ方向の初めの間隔をｔ１とし、次に半導体レーザー光源３１をホルダ２２により図４の矢印Ｂ方向に回転させると、発光点３１ａ、３１ｂのＹ方向の距離は小さくなり間隔ｔ２となる。
　【００１８】
　ここで、ホルダ２２と電気回路基板２６が固定されているために、電気回路基板２６を回転させる方向の力Ｆが加わると調整が狂ってしまう危険性がある。従って、コネクタ２９の中心を通る仮想線Ｌから近い方の発光点３１ａ又は３１ｂまでのＹ方向の距離ｒ’が、第１の実施例と同様にＦ・ｒ’≦３となるようにコネクタ２９の位置を設定すれば、ビーム間距離の調整を狂わせる危険性を回避することができる。
　【００１９】
　【発明の効果】
　以上説明したように本発明に係る射出光学装置は、コネクタとケーブルを接続する方向を電気回路基板に対して水平方向とし、取付方向と平行でかつコネクタの中心を通る仮想線から電気回路基板上における半導体レーザー光源の取付中心までの距離と、コネクタの取り付け／取り外しに加わる力との積を、所定の値以下となるようにコネクタの位置決めを行うことにより、電気回路基板に圧力を加えることなくコネクタとケーブルの接続を行うことができ、電気回路基板自体や電気回路基板上の電子素子の破損や剥離を防止し、更に射出光学装置の回転を回避することができる。
【図面の簡単な説明】
　【図１】
　第１の実施例の射出光学装置の斜視図である。
　【図２】
　電気回路基板の平面図である。
　【図３】
　第２の実施例の射出光学装置の斜視図である。
　【図４】
　マルチビーム半導体レーザー光源の正面図である。
　【図５】
　従来例の射出光学装置の斜視図である。
　【図６】
　レーザーユニットの断面図である。
　【図７】
　背面図である。
　【符号の説明】
　２１　光学箱
　２２　ホルダ
　２３　コリメータレンズ
　２４　鏡筒
　２５、３１　半導体レーザー光源
　２６　電気回路基板